(57)【特許請求の範囲】
【請求項１】
画像形成装置であって、
ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、
前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、
を備え、
前記表示制御手段は、所定値Ｎ（ただしＮは自然数）よりも多くの回数の前記一連の指示操作のそれぞれに応じて前記ジョブが実行されることを条件として、前記ボタン名称を前記キーワードを用いて表示することを特徴とする画像形成装置。
【請求項２】
画像形成装置であって、
ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、
前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、
を備え、
前記表示制御手段は、特定ユーザによる所定値Ｎ（ただしＮは自然数）よりも多くの回数の前記一連の指示操作のそれぞれに応じて前記ジョブが実行されることを条件として、前記特定ユーザの前記操作画面において、前記ボタン名称を前記キーワードを用いて表示することを特徴とする画像形成装置。
【請求項３】
画像形成装置であって、
ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、
前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、
を備え、
前記表示制御手段は、特定ユーザによる所定値Ｎ（ただしＮは自然数）よりも多くの回数の前記一連の指示操作のそれぞれに応じて前記ジョブが実行されることを条件として、複数のユーザの各操作画面において、前記ボタン名称を前記キーワードを用いて表示することを特徴とする画像形成装置。
【請求項４】
画像形成装置であって、
ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、
前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、
を備え、
前記表示制御手段は、所定値Ｍ（ただしＭは自然数）よりも多数のユーザのそれぞれによる前記一連の指示操作に応じて前記ジョブが実行されることを条件として、複数のユーザの各操作画面のうち前記一連の指示操作を行ったユーザのみの前記操作画面において、前記ボタン名称を前記キーワードを用いて表示することを特徴とする画像形成装置。
【請求項５】
画像形成装置であって、
ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、
前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、
を備え、
前記表示制御手段は、所定値Ｍ（ただしＭは自然数）よりも多数のユーザのそれぞれによる前記一連の指示操作に応じて前記ジョブが実行されることを条件として、複数のユーザの各操作画面において、前記ボタン名称を前記キーワードを用いて表示することを特徴とする画像形成装置。
【請求項６】
画像形成装置であって、
ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、
前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、
を備え、
前記表示制御手段は、
前記ジョブの実行時の動作モードである第１の動作モードにおいて、前記特定の機能の利用指示を受け付ける第１のボタンを含む第１の操作画面を表示し、
前記第１の動作モードとは異なる第２の動作モードにおいて、前記第１のボタンと同じデフォルト名称を有する第２のボタンを含む第２の操作画面を表示するとともに、
前記一連の指示操作に応じて前記ジョブが実行される旨の条件が成立する場合、
前記第２の操作画面においては、前記第２のボタンの名称を変更せず、且つ、
前記第１の操作画面においては、前記第１のボタンのボタン名称を前記キーワードを用いて表示することを特徴とする画像形成装置。
【請求項７】
請求項３に記載の画像形成装置において、
前記表示制御手段は、
前記特定ユーザによる前記一連の指示操作に応じて前記ジョブが実行された後であり且つ前記複数のユーザのうち前記特定ユーザとは異なるログインユーザが前記画像形成装置に対するログインを行った後において、前記ログインユーザ向けの操作画面にて、前記ボタン名称をデフォルト名称から前記キーワードに変更して表示するとともに、
前記ログインユーザによる前記ログインの際に、前記ボタン名称が変更される旨を予告表示することを特徴とする画像形成装置。
【請求項８】
請求項５に記載の画像形成装置において、
前記表示制御手段は、
前記一連の指示操作に応じて前記ジョブが実行された後であり且つ前記複数のユーザのうち前記一連の指示操作を行ったユーザとは異なるログインユーザが前記画像形成装置に対するログインを行った後において、前記ログインユーザ向けの操作画面にて、前記ボタン名称をデフォルト名称から前記キーワードに変更して表示するとともに、
前記ログインユーザによる前記ログインの際に、前記ボタン名称が変更される旨を予告表示することを特徴とする画像形成装置。
【請求項９】
請求項１ないし請求項６のいずれかに記載の画像形成装置において、
前記表示制御手段は、前記操作画面において、前記ボタン名称を、デフォルト名称から前記キーワードに変更して表示することを特徴とする画像形成装置。
【請求項１０】
請求項１ないし請求項６のいずれかに記載の画像形成装置において、
前記表示制御手段は、前記操作画面において、前記ボタン名称として、デフォルト名称と前記キーワードとを共に表示することを特徴とする画像形成装置。
【請求項１１】
請求項１ないし請求項６のいずれかに記載の画像形成装置において、
前記表示制御手段は、前記操作画面において、前記ボタン名称として、デフォルト名称と前記キーワードとを交互に繰り返し表示することを特徴とする画像形成装置。
【請求項１２】
画像形成装置に内蔵されたコンピュータに、
ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、
ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、
を実行させるためのプログラムであって、
前記ステップｂ）においては、所定値Ｎ（ただしＮは自然数）よりも多くの回数の前記一連の指示操作のそれぞれに応じて前記ジョブが実行されることを条件として、前記ボタン名称が前記キーワードを用いて表示されることを特徴とするプログラム。
【請求項１３】
画像形成装置に内蔵されたコンピュータに、
ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、
ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、
を実行させるためのプログラムであって、
前記ステップｂ）においては、特定ユーザによる所定値Ｎ（ただしＮは自然数）よりも多くの回数の前記一連の指示操作のそれぞれに応じて前記ジョブが実行されることを条件として、前記特定ユーザの前記操作画面において、前記ボタン名称が前記キーワードを用いて表示されることを特徴とするプログラム。
【請求項１４】
画像形成装置に内蔵されたコンピュータに、
ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、
ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、
を実行させるためのプログラムであって、
前記ステップｂ）においては、特定ユーザによる所定値Ｎ（ただしＮは自然数）よりも多くの回数の前記一連の指示操作のそれぞれに応じて前記ジョブが実行されることを条件として、複数のユーザの各操作画面において、前記ボタン名称が前記キーワードを用いて表示されることを特徴とするプログラム。
【請求項１５】
画像形成装置に内蔵されたコンピュータに、
ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、
ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、
を実行させるためのプログラムであって、
前記ステップｂ）においては、所定値Ｍ（ただしＭは自然数）よりも多数のユーザのそれぞれによる前記一連の指示操作に応じて前記ジョブが実行されることを条件として、複数のユーザの各操作画面のうち前記一連の指示操作を行ったユーザのみの前記操作画面において、前記ボタン名称が前記キーワードを用いて表示されることを特徴とするプログラム。
【請求項１６】
画像形成装置に内蔵されたコンピュータに、
ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、
ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、
を実行させるためのプログラムであって、
前記ステップｂ）においては、所定値Ｍ（ただしＭは自然数）よりも多数のユーザのそれぞれによる前記一連の指示操作に応じて前記ジョブが実行されることを条件として、複数のユーザの各操作画面において、前記ボタン名称が前記キーワードを用いて表示されることを特徴とするプログラム。
【請求項１７】
画像形成装置に内蔵されたコンピュータに、
ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、
ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、
を実行させるためのプログラムであって、
前記ステップｂ）においては、前記一連の指示操作に応じて前記ジョブが実行される旨の条件が成立する場合、
前記ジョブの実行時の動作モードである第１の動作モードにおける第１の操作画面であって前記特定の機能の利用指示を受け付ける第１のボタンを含む第１の操作画面においては、前記第１のボタンのボタン名称が前記キーワードを用いて表示され、且つ、
前記第１の動作モードとは異なる第２の動作モードにおける第２の操作画面であって前記第１のボタンと同じデフォルト名称を有する第２のボタンを含む第２の操作画面においては、前記第２のボタンの名称は変更されないことを特徴とするプログラム。
【請求項１８】
請求項１４に記載のプログラムにおいて、
前記ステップｂ）は、
ｂ−１）前記特定ユーザによる前記一連の指示操作に応じて前記ジョブが実行された後であり且つ前記複数のユーザのうち前記特定ユーザとは異なるログインユーザが前記画像形成装置に対するログインを行った後において、前記ログインユーザ向けの操作画面にて、前記ボタン名称をデフォルト名称から前記キーワードに変更して表示するステップと、
ｂ−２）前記ログインユーザによる前記ログインの際に、前記ボタン名称が変更される旨を予告表示するステップと、
を有することを特徴とするプログラム。
【請求項１９】
請求項１６に記載のプログラムにおいて、
前記ステップｂ）は、
ｂ−１）前記一連の指示操作に応じて前記ジョブが実行された後であり且つ前記複数のユーザのうち前記一連の指示操作を行ったユーザとは異なるログインユーザが前記画像形成装置に対するログインを行った後において、前記ログインユーザ向けの操作画面にて、前記ボタン名称をデフォルト名称から前記キーワードに変更して表示するステップと、
ｂ−２）前記ログインユーザによる前記ログインの際に、前記ボタン名称が変更される旨を予告表示するステップと、
を有することを特徴とするプログラム。
【請求項２０】
請求項１２ないし請求項１７のいずれかに記載のプログラムにおいて、
前記ステップｂ）においては、前記操作画面において、前記ボタン名称が、デフォルト名称から前記キーワードに変更されて表示されることを特徴とするプログラム。
【請求項２１】
請求項１２ないし請求項１７のいずれかに記載のプログラムにおいて、
前記ステップｂ）においては、前記操作画面において、前記ボタン名称として、デフォルト名称と前記キーワードとが共に表示されることを特徴とするプログラム。
【請求項２２】
請求項１２ないし請求項１７のいずれかに記載のプログラムにおいて、
前記ステップｂ）においては、前記操作画面において、前記ボタン名称として、デフォルト名称と前記キーワードとが交互に繰り返し表示されることを特徴とするプログラム。
【発明の詳細な説明】
【技術分野】
【０００１】
本発明は、画像形成装置およびそれに関連する技術に関する。
【背景技術】
【０００２】
ＭＦＰ（マルチ・ファンクション・ペリフェラル（Multi-Functional Peripheral））などの画像形成装置において、画像形成装置の有する機能を検索する技術が存在する。
【０００３】
たとえば、特許文献１においては、ユーザにより入力された検索キー（キーワード）に基づいて機能（画像処理機能）の検索が行われ、検索結果（画像処理機能名）が操作画面に表示される。ユーザは、表示された画像処理機能名のうち所望の機能名を選択することによって、所望の画像処理機能の実行を画像形成装置に指示することが可能である。
【先行技術文献】
【特許文献】
【０００４】
【特許文献１】特開２００４−２５３８８８号公報
【発明の概要】
【発明が解決しようとする課題】
【０００５】
ところで、機能検索によって或る機能が検索されて当該機能を利用したジョブが実行された後において、ユーザが、当該或る機能を利用したジョブを再び実行したいと考える場合がある。この場合には、ユーザは、（前回の）機能検索によって知得した当該或る機能の名称（デフォルト名称）に基づき、機能検索を利用することなく、操作画面に表示された当該或る機能を選択してジョブの実行指示を行う。
【０００６】
しかしながら、ユーザの中には、当該或る機能を利用したジョブを再び実行したい場合であっても、時間（たとえば数週間）の経過等によって当該機能のデフォルト名称を失念しているユーザも存在し得る。この場合には、ユーザは、操作画面に表示された当該或る機能を（直接的に）選択することができず、当該或る機能を見つけ出して当該機能を利用したジョブを実行するために再び機能検索を利用することを余儀なくされ、キーワードの再入力等の手間が生じ得る。このように、従来の画像形成装置は、ユーザにとって必ずしも使い易いものではない。
【０００７】
そこで、本発明は、ユーザにとって使い易い画像形成装置およびそれに関連する技術を提供することを課題とする。
【課題を解決するための手段】
【０００８】
上記課題を解決すべく、請求項１の発明は、画像形成装置であって、ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、を備え、前記表示制御手段は、所定値Ｎ（ただしＮは自然数）よりも多くの回数の前記一連の指示操作のそれぞれに応じて前記ジョブが実行されることを条件として、前記ボタン名称を前記キーワードを用いて表示することを特徴とする。
【００１１】
請求項２の発明は、画像形成装置であって、ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、を備え、前記表示制御手段は、特定ユーザによる所定値Ｎ（ただしＮは自然数）よりも多くの回数の前記一連の指示操作のそれぞれに応じて前記ジョブが実行されることを条件として、前記特定ユーザの前記操作画面において、前記ボタン名称を前記キーワードを用いて表示することを特徴とする。
【００１３】
請求項３の発明は、画像形成装置であって、ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、を備え、前記表示制御手段は、特定ユーザによる所定値Ｎ（ただしＮは自然数）よりも多くの回数の前記一連の指示操作のそれぞれに応じて前記ジョブが実行されることを条件として、複数のユーザの各操作画面において、前記ボタン名称を前記キーワードを用いて表示することを特徴とする。
【００１４】
請求項４の発明は、画像形成装置であって、ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、を備え、前記表示制御手段は、所定値Ｍ（ただしＭは自然数）よりも多数のユーザのそれぞれによる前記一連の指示操作に応じて前記ジョブが実行されることを条件として、複数のユーザの各操作画面のうち前記一連の指示操作を行ったユーザのみの前記操作画面において、前記ボタン名称を前記キーワードを用いて表示することを特徴とする。
【００１５】
請求項５の発明は、画像形成装置であって、ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、を備え、前記表示制御手段は、所定値Ｍ（ただしＭは自然数）よりも多数のユーザのそれぞれによる前記一連の指示操作に応じて前記ジョブが実行されることを条件として、複数のユーザの各操作画面において、前記ボタン名称を前記キーワードを用いて表示することを特徴とする。
請求項６の発明は、画像形成装置であって、ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付ける操作入力手段と、前記一連の指示操作に応じて前記ジョブが実行されることを条件として、前記特定の機能の利用指示を受け付けるボタンを含む操作画面において、前記ボタンのボタン名称を前記キーワードを用いて表示する表示制御手段と、を備え、前記表示制御手段は、前記ジョブの実行時の動作モードである第１の動作モードにおいて、前記特定の機能の利用指示を受け付ける第１のボタンを含む第１の操作画面を表示し、前記第１の動作モードとは異なる第２の動作モードにおいて、前記第１のボタンと同じデフォルト名称を有する第２のボタンを含む第２の操作画面を表示するとともに、前記一連の指示操作に応じて前記ジョブが実行される旨の条件が成立する場合、前記第２の操作画面においては、前記第２のボタンの名称を変更せず、且つ、前記第１の操作画面においては、前記第１のボタンのボタン名称を前記キーワードを用いて表示することを特徴とする。
【００１６】
請求項７の発明は、請求項３の発明に係る画像形成装置において、前記表示制御手段は、前記特定ユーザによる前記一連の指示操作に応じて前記ジョブが実行された後であり且つ前記複数のユーザのうち前記特定ユーザとは異なるログインユーザが前記画像形成装置に対するログインを行った後において、前記ログインユーザ向けの操作画面にて、前記ボタン名称をデフォルト名称から前記キーワードに変更して表示するとともに、前記ログインユーザによる前記ログインの際に、前記ボタン名称が変更される旨を予告表示することを特徴とする。
【００１７】
請求項８の発明は、請求項５の発明に係る画像形成装置において、前記表示制御手段は、前記一連の指示操作に応じて前記ジョブが実行された後であり且つ前記複数のユーザのうち前記一連の指示操作を行ったユーザとは異なるログインユーザが前記画像形成装置に対するログインを行った後において、前記ログインユーザ向けの操作画面にて、前記ボタン名称をデフォルト名称から前記キーワードに変更して表示するとともに、前記ログインユーザによる前記ログインの際に、前記ボタン名称が変更される旨を予告表示することを特徴とする。
【００１９】
請求項９の発明は、請求項１ないし請求項６のいずれかの発明に係る画像形成装置において、前記表示制御手段は、前記操作画面において、前記ボタン名称を、デフォルト名称から前記キーワードに変更して表示することを特徴とする。
【００２０】
請求項１０の発明は、請求項１ないし請求項６のいずれかの発明に係る画像形成装置において、前記表示制御手段は、前記操作画面において、前記ボタン名称として、デフォルト名称と前記キーワードとを共に表示することを特徴とする。
【００２１】
請求項１１の発明は、請求項１ないし請求項６のいずれかの発明に係る画像形成装置において、前記表示制御手段は、前記操作画面において、前記ボタン名称として、デフォルト名称と前記キーワードとを交互に繰り返し表示することを特徴とする。
【００２３】
請求項１２の発明は、画像形成装置に内蔵されたコンピュータに、ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、を実行させるためのプログラムであって、前記ステップｂ）においては、所定値Ｎ（ただしＮは自然数）よりも多くの回数の前記一連の指示操作のそれぞれに応じて前記ジョブが実行されることを条件として、前記ボタン名称が前記キーワードを用いて表示されることを特徴とする。
請求項１３の発明は、画像形成装置に内蔵されたコンピュータに、ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、を実行させるためのプログラムであって、前記ステップｂ）においては、特定ユーザによる所定値Ｎ（ただしＮは自然数）よりも多くの回数の前記一連の指示操作のそれぞれに応じて前記ジョブが実行されることを条件として、前記特定ユーザの前記操作画面において、前記ボタン名称が前記キーワードを用いて表示されることを特徴とする。
請求項１４の発明は、画像形成装置に内蔵されたコンピュータに、ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、を実行させるためのプログラムであって、前記ステップｂ）においては、特定ユーザによる所定値Ｎ（ただしＮは自然数）よりも多くの回数の前記一連の指示操作のそれぞれに応じて前記ジョブが実行されることを条件として、複数のユーザの各操作画面において、前記ボタン名称が前記キーワードを用いて表示されることを特徴とする。
請求項１５の発明は、画像形成装置に内蔵されたコンピュータに、ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、を実行させるためのプログラムであって、前記ステップｂ）においては、所定値Ｍ（ただしＭは自然数）よりも多数のユーザのそれぞれによる前記一連の指示操作に応じて前記ジョブが実行されることを条件として、複数のユーザの各操作画面のうち前記一連の指示操作を行ったユーザのみの前記操作画面において、前記ボタン名称が前記キーワードを用いて表示されることを特徴とする。
請求項１６の発明は、画像形成装置に内蔵されたコンピュータに、ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、を実行させるためのプログラムであって、前記ステップｂ）においては、所定値Ｍ（ただしＭは自然数）よりも多数のユーザのそれぞれによる前記一連の指示操作に応じて前記ジョブが実行されることを条件として、複数のユーザの各操作画面において、前記ボタン名称が前記キーワードを用いて表示されることを特徴とする。
請求項１７の発明は、画像形成装置に内蔵されたコンピュータに、ａ）ユーザにより入力されたキーワードに対応する機能を前記画像形成装置の複数の機能の中から検索すべき旨を指示する検索指示操作と、前記検索指示操作に応じた機能検索の検索結果のうちの特定の機能を利用するジョブを実行すべき旨を指示する実行指示操作とを含む一連の指示操作を受け付けるステップと、ｂ）前記一連の指示操作に応じて前記ジョブが実行されることを条件として、前記特定の機能の利用指示を受け付けるボタンを含む操作画面において、前記ボタンのボタン名称を前記キーワードを用いて表示するステップと、を実行させるためのプログラムであって、前記ステップｂ）においては、前記一連の指示操作に応じて前記ジョブが実行される旨の条件が成立する場合、前記ジョブの実行時の動作モードである第１の動作モードにおける第１の操作画面であって前記特定の機能の利用指示を受け付ける第１のボタンを含む第１の操作画面においては、前記第１のボタンのボタン名称が前記キーワードを用いて表示され、且つ、前記第１の動作モードとは異なる第２の動作モードにおける第２の操作画面であって前記第１のボタンと同じデフォルト名称を有する第２のボタンを含む第２の操作画面においては、前記第２のボタンの名称は変更されないことを特徴とする。
請求項１８の発明は、請求項１４の発明に係るプログラムにおいて、前記ステップｂ）は、ｂ−１）前記特定ユーザによる前記一連の指示操作に応じて前記ジョブが実行された後であり且つ前記複数のユーザのうち前記特定ユーザとは異なるログインユーザが前記画像形成装置に対するログインを行った後において、前記ログインユーザ向けの操作画面にて、前記ボタン名称をデフォルト名称から前記キーワードに変更して表示するステップと、ｂ−２）前記ログインユーザによる前記ログインの際に、前記ボタン名称が変更される旨を予告表示するステップと、を有することを特徴とする。
請求項１９の発明は、請求項１６の発明に係るプログラムにおいて、前記ステップｂ）は、ｂ−１）前記一連の指示操作に応じて前記ジョブが実行された後であり且つ前記複数のユーザのうち前記一連の指示操作を行ったユーザとは異なるログインユーザが前記画像形成装置に対するログインを行った後において、前記ログインユーザ向けの操作画面にて、前記ボタン名称をデフォルト名称から前記キーワードに変更して表示するステップと、ｂ−２）前記ログインユーザによる前記ログインの際に、前記ボタン名称が変更される旨を予告表示するステップと、を有することを特徴とする。
請求項２０の発明は、請求項１２ないし請求項１７のいずれかの発明に係るプログラムにおいて、前記ステップｂ）においては、前記操作画面において、前記ボタン名称が、デフォルト名称から前記キーワードに変更されて表示されることを特徴とする。
請求項２１の発明は、請求項１２ないし請求項１７のいずれかの発明に係るプログラムにおいて、前記ステップｂ）においては、前記操作画面において、前記ボタン名称として、デフォルト名称と前記キーワードとが共に表示されることを特徴とする。
請求項２２の発明は、請求項１２ないし請求項１７のいずれかの発明に係るプログラムにおいて、前記ステップｂ）においては、前記操作画面において、前記ボタン名称として、デフォルト名称と前記キーワードとが交互に繰り返し表示されることを特徴とする。
【発明の効果】
【００２４】
請求項１ないし請求項２２に記載の発明によれば、ユーザにより入力されたキーワードに対応する機能の検索指示操作と、機能検索の検索結果のうちの特定の機能を利用するジョブの実行指示操作とを含む一連の指示操作に応じて当該ジョブが実行されることを条件として、操作画面においてボタン名称が当該キーワードを用いて表示される。そのため、当該キーワードがボタン名称として操作画面に表示されるので、ユーザは当該特定の機能を容易に見つけ出すことができる。したがって、ユーザにとって使い易い画像形成装置を提供することが可能である。
【図面の簡単な説明】
【００２５】
【図１】画像形成装置（ＭＦＰ）の外観を示す図である。
【図２】画像形成装置の機能ブロックを示す図である。
【図３】画像形成装置の動作を示すフローチャートである。
【図４】メニュー画面を示す図である。
【図５】コピーモードの操作画面を示す図である。
【図６】操作画面を示す図である。
【図７】操作画面を示す図である。
【図８】検索画面を示す図である。
【図９】検索画面を示す図である。
【図１０】設定画面を示す図である。
【図１１】ボタン名称変更後の操作画面を示す図である。
【図１２】確認画面を示す図である。
【図１３】第２実施形態に係るコピーモードの操作画面を示す図である。
【図１４】第２実施形態に係るスキャンモードの操作画面を示す図である。
【図１５】読込みサイズ機能について説明する図である。
【図１６】第３実施形態に係る画像形成装置の動作を示すフローチャートである。
【図１７】ボタン名称変更の通知画面を示す図である。
【図１８】第５実施形態に係る画像形成装置の動作を示すフローチャートである。
【図１９】第７実施形態に係る画像形成装置の動作を示すフローチャートである。
【図２０】変形例に係る操作画面を示す図である。
【発明を実施するための形態】
【００２６】
以下、本発明の実施形態を図面に基づいて説明する。
【００２７】
＜１．第１実施形態＞
＜１−１．構成概要＞
図１は、画像形成装置１０の外観を示す図であり、図２は、画像形成装置１０の機能ブロックを示す図である。ここでは、画像形成装置１０として、ＭＦＰ（マルチ・ファンクション・ペリフェラル（Multi-Functional Peripheral））を例示する。
【００２８】
ＭＦＰ１０は、スキャン機能（スキャンモード）、コピー機能（コピーモード）、ファクシミリ機能（ファクシミリモード）およびボックス格納機能（ボックス格納モード）などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００２９】
画像読取部（スキャン部とも称される）２は、ＭＦＰ１０の所定の位置に載置された原稿を光学的に読み取って（すなわちスキャンして）、当該原稿の画像データ（原稿画像ないしスキャン画像とも称する）を生成する処理部である。
【００３０】
印刷出力部３は、印刷対象に関するデータに基づいて紙などの各種の媒体に画像を印刷出力する出力部である。
【００３１】
通信部４は、公衆回線等を介したファクシミリ通信を行うことが可能な処理部である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先との間で各種のデータを授受することが可能である。通信部４は、各種データを送信する送信部４ａと各種データを受信する受信部４ｂとを有する。
【００３２】
格納部５は、ハードディスクドライブ（ＨＤＤ）等の記憶装置で構成される。格納部５は、各表示画面の画像データ等を記憶する。
【００３３】
操作部６は、ＭＦＰ１０に対する操作入力を受け付ける操作入力部６ａと、各種情報の表示出力を行う表示部６ｂとを備えている。
【００３４】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに圧電センサ等が埋め込まれて構成され、各種情報を表示するとともに操作者（ユーザ）による操作入力（ボタンの押下操作（指示操作）等）を受け付けることが可能である。また、表示部６ｂは、タッチパネル２５に表示される表示画面を選択的に切り換えて表示する。
【００３５】
たとえば、タッチパネル２５においては、メニュー画像（ボタン画像等を含む）が表示される。タッチパネル２５内に仮想的に配置されるボタン（ボタン画像で表現されるボタン）がユーザによって押下されると、表示部６ｂは、メニュー画面を、ＭＦＰ１０の各種動作内容の設定画面に切り換える。換言すれば、表示部６ｂは、メニュー画面に代えて当該設定画面をタッチパネル２５に表示する。タッチパネル２５に表示された当該設定画面において、ユーザは、ＭＦＰ１０の各種動作内容を設定することなどが可能である。
【００３６】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体、あるいはネットワーク等を介してＭＦＰ１０にインストールされてもよい。
【００３７】
具体的には、図２に示すように、コントローラ９は、当該プログラムの実行により、入力制御部１１と表示制御部１２と検索部１３とジョブ実行部１４と判定部１５とを含む各種の処理部を実現する。
【００３８】
入力制御部１１は、操作入力部６ａ（タッチパネル２５等）に対する操作入力動作を制御する制御部である。たとえば、入力制御部１１は、タッチパネル２５に表示された操作画面２００に対する操作入力（指示操作等）を受け付ける動作を制御する。
【００３９】
表示制御部１２は、表示部６ｂ（タッチパネル２５等）における表示動作を制御する処理部である。表示制御部１２は、操作画面２００に各種の情報を表示する動作等を制御する。たとえば、表示制御部１２は、特定の機能（たとえば「小冊子」機能）の利用指示を受け付けるボタンを操作画面２００に表示するとともに、特定の機能の名称を表すボタン名称（ボタンの名称）を当該ボタンの近傍に表示する。
【００４０】
検索部１３は、ユーザによる検索指示操作（後述）に応じて、ユーザにより入力されたキーワードに対応する機能を、ＭＦＰ１０が有する複数の機能の中から検索する動作等を制御する。
【００４１】
ジョブ実行部１４は、ジョブを実行する動作等を制御する。たとえば、ジョブ実行部１４は、ユーザによる一連の指示操作（後述）に応じて、ジョブ（特定の機能を利用するジョブ）を実行する。
【００４２】
判定部１５は、特定の機能を表すデフォルト名称が、機能検索時にユーザにより入力されたキーワード（検索用キーワード）と異なるか否か、を判定する動作等を制御する。
【００４３】
＜１−２．動作＞
第１実施形態においては、機能検索（機能検索処理）が行われ、機能検索の検索結果のうちの特定の機能を利用したジョブが一連の指示操作（後述）に応じて実行されると、操作画面２００において表示される当該特定の機能のボタン名称が、当該機能検索時にユーザにより入力されたキーワードを用いて表示される態様について説明する。より詳細には、当該操作画面２００において、特定の機能のボタン名称が、デフォルト名称から当該キーワードに変更されて表示される。
【００４４】
＜通常動作（機能検索を伴わない動作）＞
この第１実施形態では、ユーザが、「小冊子」機能を利用したジョブ（コピージョブ）を実行したいと考える状況を想定する。なお、「小冊子」機能は、複数のページを１枚の用紙に割り付けて（詳細には片面に２ページずつ両面に合計４つのページを割り付けて）印刷出力する機能である。
【００４５】
ユーザは、タッチパネル２５に表示された（初期）メニュー画面１００（図４）において、コピーボタン（所望の動作モード（ここではコピーモード）に遷移すべき旨の指示を受け付けるボタン）１０１を押下（選択）する。そして、動作モードがコピーモードに遷移すると、表示制御部１２は、コピーモードの操作画面（ここでは設定一覧画面）１５０（図５）をタッチパネル２５に表示する。この設定一覧画面１５０にてユーザは、コピージョブの各種設定を行う。なお、ここでは、コピージョブに関する更なる詳細設定を行うために応用設定ボタン１６０がユーザにより押下されることを想定する。応用設定ボタン１６０が押下されると、表示制御部１２は、操作画面（ここでは詳細設定一覧画面）２００（図６）をタッチパネル２５に表示する。
【００４６】
図６に示すように、当該操作画面２００においては、複数の機能ボタン（機能設定ボタン）３０１〜３１５、検索ボタン３５０および「閉じる」ボタン３７０が仮想的に表示されている。これらの機能ボタン（３０１〜３１５）は、特定の機能の利用指示（たとえば特定の機能の設定画面の表示指示）を受け付けるボタンである。また、図６に示すように、当該機能ボタン３０１〜３１５の近傍（詳細には下側近傍）には、ボタン名称が表示（配置）されている。この当該ボタン名称には、機能ボタン３０１〜３１５のデフォルト名称（標準名称）が表示される。なお、機能ボタン３０１〜３１５のボタン名称の表示位置は、当該機能ボタン３０１〜３１５の近傍に限定されず、当該機能ボタン３０１〜３１５の領域内であってもよい。
【００４７】
そして、ユーザは、「小冊子」機能を利用するために（「小冊子」機能の詳細設定を行うために）、図６の操作画面２００内の「小冊子」機能ボタン３１２を押下する。なお、図６に示すように、「小冊子」機能の詳細設定は未だ行われていないため、「小冊子」機能ボタン３１２内には「小冊子」機能がオフ（ＯＦＦ）である旨が表示されている。
【００４８】
「小冊子」機能ボタン３１２がユーザにより押下されると、ＭＦＰ１０（操作入力部６ａおよび表示制御部１２）は、当該押下操作（「小冊子」機能の利用指示）を受け付け、「小冊子」機能の設定画面２２０（図１０）をタッチパネル２５に表示する。図１０に示すように、設定画面２２０には「小冊子」機能に関する各種の設定事項が表示され、ユーザは、当該設定画面２２０にて「小冊子」機能に関する設定を行う。たとえば、ユーザは、「左開き」ボタン２２１および「中とじ」ボタン２２２を押下して「小冊子」機能に関する設定を行う。「小冊子」機能に関する設定が行われると、「小冊子」機能が（自動的に）オフ（ＯＦＦ）からオン（ＯＮ）に変更される。
【００４９】
そして、ＯＫボタン３８０がユーザにより押下されると、図７の操作画面２００が表示される。図７に示すように、「小冊子」機能の設定が行われたことによって、「小冊子」機能がオン（ＯＮ）である旨が「小冊子」機能ボタン３１２内に表示される。その後、ユーザによる実行指示操作（「小冊子」機能を利用したジョブを実行すべき旨を指示する指示操作）（たとえばスタートボタン（不図示）の押下操作）が受け付けられると、ジョブ実行部１４は、当該ジョブ（コピージョブ）を実行する。
【００５０】
このようにして、通常動作（機能検索を伴わない動作）において、ユーザは、操作画面２００に表示された所望の機能のボタン名称（ここではデフォルト名称）を参照して当該機能を選択（指定）する。そして、ユーザは、当該機能の詳細設定を行い、当該機能を利用したジョブの実行指示をＭＦＰ１０に付与する。
【００５１】
＜機能検索を伴う動作＞
ユーザの中には、所望の機能（たとえば「小冊子」機能）を実行したいと考えるものの、当該所望の機能を表す名称（デフォルト名称（ここでは「小冊子」））を失念している（あるいは知らない）ユーザも存在し得る。このような場合には、ユーザは、操作画面２００（図６）内の検索ボタン３５０を押下し機能検索を行うことによって、所望の機能を見つけ出すことが可能である。そして、ユーザは、検索結果の中から所望の機能を選択し、当該機能を利用したジョブの実行指示をＭＦＰ１０に付与することによって、所望の機能を利用したジョブをＭＦＰ１０に実行させることができる。以下、このような動作等についてさらに詳細に説明する。
【００５２】
図３は、ＭＦＰ１０における機能検索を伴う動作を示すフローチャートである。操作画面２００内の検索ボタン３５０がユーザにより押下された後のＭＦＰ１０の動作について、図３のフローチャートを参照しながら説明する。
【００５３】
ステップＳ１１において、ＭＦＰ１０は、タッチパネル２５の表示画面が操作画面２００（図６）から検索画面２１０（図８）に遷移したか否か、を判定する。具体的には、検索ボタン３５０（図６）がユーザにより押下されて検索画面２１０がタッチパネル２５に表示されることにより、ＭＦＰ１０は、タッチパネル２５の表示画面が操作画面２００から検索画面２１０に遷移した旨を判定する。
【００５４】
図８に示すように、この検索画面２１０には、検索文字入力欄４００、検索実行ボタン４１０、クリアボタン４２０、検索結果表示欄４３０およびキーボード４５０が表示されている。ユーザがキーボード４５０を用いてキーワード（検索ワード）を入力すると、入力されたキーワードが検索文字入力欄４００に表示（反映）される。ここでは、ユーザが、所望の機能（「小冊子」機能）を表す名称（デフォルト名称）を思い出せないものの当該所望の機能の処理内容から「製本」を思い浮かべ、検索文字入力欄４００にキーワード「製本」を入力して検索処理を行うことを想定する。ユーザは、キーワード「製本」を入力すると、検索実行ボタン４１０を押下して機能検索の実行指示（検索指示）をＭＦＰ１０に付与する。
【００５５】
ＭＦＰ１０（操作入力部６ａおよび検索部１３）は、ユーザによる検索指示操作（ユーザにより入力されたキーワード（ここでは「製本」）に対応する機能を、ＭＦＰ１０が有する複数の機能の中から検索すべき旨を指示する操作）を受け付ける（ステップＳ１２）と、当該検索指示操作に応じて機能検索を実行する。なお、ここでは、検索実行ボタン４１０が検索画面２１０内に設けられ、当該検索実行ボタン４１０の押下操作が検索指示操作である態様を例示したが、これに限定されない。たとえば、検索実行ボタン４１０を検索画面２１０に設けず、キーワード（ここでは「製本」）の入力操作自体が検索指示操作であってもよい。具体的には、キーワードが１文字入力されるごとに、機能検索が逐次実行されてもよい。
【００５６】
ステップＳ１３において、ＭＦＰ１０（判定部１５）は、機能検索の検索結果の存否を判定する。検索結果が存在する場合には、表示制御部１２は、機能検索の検索結果を検索結果表示欄４３０に表示する（ステップＳ１４）。一方、検索結果が存在しない場合には、当該機能検索を伴う動作は終了し、表示制御部１２は、操作画面２００（図６）を再びタッチパネル２５に表示する。
【００５７】
ここでは、機能検索の検索結果（キーワード「製本」に対応する機能）が存在する旨が判定され、「ブック原稿」機能および「小冊子」機能が検索結果として検索結果表示欄４３０に表示される（図９参照）。図９に示すように、検索結果表示欄４３０には、検索結果（「ブック原稿」機能および「小冊子」機能）とヘルプボタン４４１，４４３と設定ボタン４４２，４４４とが表示されている。ユーザが、機能検索の検索結果の中から所望の機能（ここでは「小冊子」機能）の設定ボタン４４４を押下すると、ＭＦＰ１０（操作入力部６ａ）は当該押下操作（所望の機能の選択操作）を受け付ける（ステップＳ１５）。
【００５８】
なお、設定ボタン４４２，４４４は、当該設定ボタンに対応する機能の設定画面を表示する旨の指示を受け付けるボタンであり、ヘルプボタン４４１，４４３は、当該設定ボタンに対応する機能の詳細説明を表示する旨の指示を受け付けるボタンである。たとえば、ユーザが「小冊子」機能自体を知らない場合には、当該ユーザは、「小冊子」機能のヘルプボタン４４３を押下することによって「小冊子」機能の詳細説明を表示させ、「小冊子」機能の詳細内容を知得することができる。
【００５９】
ユーザによる所望の機能の選択操作（「小冊子」機能の設定ボタン４４４の押下操作）が受け付けられると、表示制御部１２は、「小冊子」機能に関する設定画面２２０（図１０）をタッチパネル２５に表示する（ステップＳ１６）。ユーザは、当該設定画面２２０において、「小冊子」機能の詳細設定を行い、ＯＫボタン３８０を押下する。ＯＫボタン３８０が押下されると、表示制御部１２は、図７の操作画面２００をタッチパネル２５に表示する。図７に示すように、「小冊子」機能の詳細設定が行われたことによって「小冊子」機能がオン（ＯＮ）である旨が、「小冊子」機能ボタン３１２内に表示される。
【００６０】
その後、ユーザによる実行指示操作（機能検索の検索結果のうちの特定の機能（「小冊子」機能）を利用したジョブを実行すべき旨を指示する指示操作）（たとえばスタートボタンの押下操作）が受け付けられる（ステップＳ１７）と、ジョブ実行部１４は、当該ジョブ（「小冊子」機能を利用したコピージョブ）を実行する（ステップＳ１８）。
【００６１】
このように、機能検索を伴う動作においては、検索指示操作と選択操作と実行指示操作とを含む一連の指示操作に応じて、所望の機能（小冊子機能等）を利用したジョブ（コピージョブ等）が実行される。
【００６２】
当該ジョブが実行された後において、操作画面２００が再び表示される際には、特定の機能（「小冊子」機能）のボタン名称がデフォルト名称（「小冊子」）からキーワード（「製本」）に変更されて表示される。
【００６３】
具体的には、ステップＳ１９において、ＭＦＰ１０は、当該一連の指示操作（詳細にはそのうちの実行指示操作）に応じて当該ジョブ（機能検索処理に基づき絞り込まれた特定の機能を利用するジョブ）が実行されると、特定の機能のボタン名称の変更有無を示すフラグＦ１をオフ（ＯＦＦ）からオン（ＯＮ）に変更する。詳細には、ＭＦＰ１０は、当該デフォルト名称が当該キーワードと異なる旨が判定されることを条件として、当該フラグＦ１をオフからオンに変更する。また、ＭＦＰ１０は、当該キーワードを当該フラグＦ１に対応付けて格納部５に格納する。
【００６４】
より詳細には、まず、ＭＦＰ１０（判定部１５）は、特定の機能（「小冊子」機能）を表すデフォルト名称（「小冊子」）が、機能検索時（ステップＳ１２）にユーザにより入力されたキーワード（「製本」）と異なるか否か、を判定する。ここでは、当該デフォルト名称「小冊子」と当該キーワード「製本」とが異なる旨が判定される。そして、ＭＦＰ１０は、当該判定結果に応じて、「小冊子」機能のボタン名称変更の有無を示すフラグＦ１をオフからオンに変更するとともに、当該キーワード「製本」を当該フラグＦ１に対応付けて格納部５に格納する。なお、特定の機能を表すデフォルト名称と当該キーワードとが同一である場合には、当該フラグＦ１はオフからオンに変更されない。
【００６５】
当該機能検索を伴う動作が終了し、その後、操作画面２００が再び表示される際には以下のような動作が行われる。
【００６６】
或るユーザが、メニュー画面１００（図４）にてコピーボタン１０１を押下し、その後表示された設定一覧画面１５０（図５）において応用設定ボタン１６０をさらに押下すると、操作画面２００（次述）がタッチパネル２５に表示される。
【００６７】
操作画面２００の表示に際して、ＭＦＰ１０は、特定の機能（「小冊子」機能）のボタン名称を変更すべき旨をフラグＦ１に基づき確認するとともに、当該フラグＦ１に対応付けられたキーワード「製本」を格納部５から抽出する。そして、表示制御部１２は、図１１の操作画面２００をタッチパネル２５に表示する。図１１に示すように、表示制御部１２は、操作画面２００において、特定の機能（「小冊子」機能）のボタン名称を当該キーワード「製本」を用いて表示する。より詳細には、表示制御部１２は、操作画面２００（図１１）において、特定の機能のボタン名称をデフォルト名称からキーワードに変更して表示する。
【００６８】
なお、この実施形態では、特定の動作モード（たとえばコピーモード）における特定の機能のボタン名称の変更に付随して、他の動作モード（ファクシミリモード、スキャンモード等）にてそれぞれ表示される操作画面においても、当該特定の機能のボタン名称がキーワードを用いて表示される。換言すれば、全ての動作モードにてそれぞれ表示される複数の操作画面のいずれにおいても、同一のデフォルト名称を有するボタンの名称が検索用キーワードに変更される。たとえば、複数の動作モードの各操作画面において「原稿セット方向設定」ボタンがそれぞれ設けられる場合には、全ての動作モードの当該各操作画面におけるボタン名称「原稿セット方向」がいずれも検索用キーワード（「原稿載置方向」等）に変更される。
【００６９】
以上のように、第１実施形態に係る動作においては、一連の指示操作に応じてジョブ（特定の機能を利用するジョブ）が実行されることを条件として、操作画面２００において特定の機能（「小冊子」機能）のボタン名称として検索用キーワード（「製本」）が表示される。そのため、ユーザは、特定の機能（「小冊子」機能）の次回以降の利用時において、キーワード（「小冊子」機能の処理内容から自身が思い浮かべたキーワード「製本」）を特定の機能（「小冊子」機能）のボタン名称として視認することができるので、当該特定の機能を容易に見つけ出すことができる。したがって、ユーザにとって使い易いＭＦＰ１０を提供することが可能である。
【００７０】
＜１−３．第１実施形態の変形例＞
なお、第１実施形態では、「１回」の一連の指示操作（検索指示操作、選択操作および実行指示操作）に応じてジョブが実行されることを条件として、以後の操作画面２００において、キーワードが特定の機能のボタン名称として表示される態様を例示したが、これに限定されない。たとえば、「所定値Ｎ（ただしＮは自然数）よりも多くの回数」の一連の指示操作のそれぞれに応じてジョブが実行されることを条件として、以後の操作画面２００においてキーワードが特定の機能のボタン名称として表示されるようにしてもよい。
【００７１】
具体的には、図３のステップＳ１８とステップＳ１９との間において、ＭＦＰ１０は、所定値Ｎ（たとえば、Ｎ＝５）よりも多くの回数の一連の指示操作（より詳細には同一のキーワード（たとえば「製本」）による一連の指示操作）が受け付けられたか否か、を判定する。
【００７２】
所定値Ｎよりも多くの回数の一連の指示操作が受け付けられていない旨が判定される場合には、ステップＳ１９の処理は行われず、当該一連の指示操作の受付回数を示すカウンタ値がインクリメントされる。
【００７３】
一方、所定値Ｎよりも多くの回数の一連の指示操作が受け付けられた旨が判定される場合には、ステップＳ１９において、ＭＦＰ１０はフラグＦ１をオフからオンに変更する。その後に操作画面２００が再び表示される際には、当該フラグＦ１が確認され、表示制御部１２は、操作画面２００（図１１）において、特定の機能のボタン名称としてキーワード（「製本」）を表示する。換言すれば、表示制御部１２は、所定値Ｎよりも多くの回数の一連の指示操作のそれぞれに応じてジョブが実行されることを条件として、ボタン名称をキーワードを用いて表示する。なお、ここでは、一連の指示操作を行ったユーザの識別（ユーザのログイン認証）は行われず、ＭＦＰ１０は、不特定ユーザによる一連の指示操作の受付回数をカウントするものとする。換言すれば、ユーザがログインしているか否かにかかわらず、一連の指示操作がＭＦＰ１０により受け付けられた回数がカウントされる。
【００７４】
また、第１実施形態では、一連の指示操作に応じてジョブが実行されると、操作画面２００において、自動的にキーワードが特定の機能のボタン名称として表示される態様を例示したが、これに限定されない。たとえば、一連の指示操作に応じてジョブが実行された後（図３のステップＳ１８とステップＳ１９との間）においてボタン名称の変更がユーザにより許可されると、以後の操作画面２００においてキーワードが特定の機能のボタン名称として表示されるようにしてもよい。
【００７５】
具体的には、図３のステップＳ１８とステップＳ１９との間において、表示制御部１２は、確認画面２５０をジョブ実行画面２３０に重畳して表示する（図１２参照）。そして、当該確認画面２５０内の「はい」ボタン２５１がユーザにより押下されると、特定の機能（「小冊子」機能）のボタン名称の変更がユーザにより許可されたものと判断され、ステップＳ１９の処理が行われる。一方、確認画面２５０内の「いいえ」ボタン２５２がユーザにより押下されると、特定の機能のボタン名称の変更がユーザにより許可されなかったものと判断され、ステップＳ１９の処理は行われない（ボタン名称はデフォルト名称からキーワードに変更されない）。
【００７６】
＜２．第２実施形態＞
第２実施形態は、第１実施形態の変形例である。以下では、第１実施形態との相違点を中心に説明する。
【００７７】
第１実施形態では、一連の指示操作に応じてジョブが実行されると、全ての動作モード（コピーモードとファクシミリモードとスキャンモードとを含む動作モード）にてそれぞれ表示される複数の操作画面のいずれにおいても、同一のデフォルト名称を有するボタンの名称が検索用キーワードに変更される態様を例示した。
【００７８】
この第２実施形態では、複数の動作モードのそれぞれにおいて同一のデフォルト名称が付された各ボタンの名称が動作モードごとに変更される態様について例示する。詳細には、一連の指示操作に応じてジョブが実行されると、複数の動作モードにてそれぞれ表示される操作画面のうち、当該ジョブの実行時の動作モード（たとえばコピーモード）にて表示される操作画面２００（のみ）において、ボタン名称がデフォルト名称からキーワードに変更される。
【００７９】
ここでは、ユーザが「読込みサイズ設定」機能を利用した（「読込みサイズ設定」機能の詳細設定を施した）コピージョブを実行したいと考える状況を想定する。
【００８０】
この「読込みサイズ設定」機能は、原稿全体のうちＭＦＰ１０に読み込ませる部分のサイズを設定する機能であり、複数の動作モード（具体的には、コピーモード、ファクシミリモードおよびスキャンモード）において利用され得る機能である。各動作モードにおいては、同じデフォルト名称「読込みサイズ」を有するボタンが、当該機能「読込みサイズ設定」を利用するためのボタン（設定画面呼出ボタン）として表示される。
【００８１】
ただし、各動作モードにおける「読込みサイズ設定」機能の利用のされ方が互いに異なることがある。
【００８２】
詳細には、コピーモードにおける「読込みサイズ設定」機能においては、原稿自体のサイズが、ＭＦＰ１０に読み込ませる部分のサイズとして、比較的多くのユーザにより設定され得る。換言すれば、コピーモードにおける「読込みサイズ設定」機能においては、原稿自体のサイズが読込みサイズとして設定されることが比較的多く、原稿の一部分のサイズが読込みサイズとして設定されることは稀である。
【００８３】
たとえば、コピーモードにおける「読込みサイズ設定」機能においては、比較的多くのユーザが、次のようにして原稿自体のサイズを読込みサイズとして設定する。具体的には、原稿６００（図１５上側部）のサイズがＡ４サイズである場合には、ユーザは、コピーモードの操作画面２００（図６）内の機能ボタン３０１（デフォルト名称「読込みサイズ」が示されたボタン）を押下する。そして、ユーザは、コピーモードにおける「読込みサイズ設定」機能の設定画面にて「読込みサイズ」を原稿６００自体のサイズ（「Ａ４サイズ」）に設定する。
【００８４】
これに対して、スキャンモードあるいはファクシミリモードにおいては、「読込みサイズ設定」機能の利用のされ方がコピーモードにおける当該機能の利用のされ方とは異なる。詳細には、原稿の一部分のサイズが読込みサイズとして設定されることが、コピーモードにおける「読込みサイズ設定」機能よりもスキャンモードあるいはファクシミリモードにおける「読込みサイズ設定」機能において多く利用される。
【００８５】
たとえば、スキャンモードにおける「読込みサイズ設定」機能においては、次のようにして原稿の一部分のサイズが読込みサイズとして設定される。具体的には、ユーザがＡ４サイズの原稿６００（図１５上側部）の上半分のみをＭＦＰ１０に読み込ませたいと考える場合には、ユーザは、スキャンモードの操作画面５００（図１４）内の機能ボタン５０１（デフォルト名称「読込みサイズ」が示されたボタン）を押下する。そして、ユーザは、スキャンモードにおける「読込みサイズ設定」機能の設定画面にて「読込みサイズ」を、原稿６００内の所望の部分のサイズ（「Ａ５サイズ」）に設定する。これにより、Ａ５サイズ（Ａ４サイズの原稿６００の上半分のみ）のスキャン画像６５０（図１５下側部）が生成される。
【００８６】
このように、複数の動作モードにおいて同じデフォルト名称を用いて表される特定の機能の利用のされ方が互いに異なる場合が存在し得る。
【００８７】
このような複数の動作モードのそれぞれにおいて同一のデフォルト名称を有するボタンが存在する場合に、第１実施形態のように、全ての動作モードにてそれぞれ表示される複数の操作画面のいずれにおいても、同一のデフォルト名称「読込みサイズ」（図６）を有するボタンの名称が、一連の指示操作にて指定された検索用キーワード（たとえば「原稿サイズ」（後述））へと一律に変更されるようにしてもよい。
【００８８】
ただし、一連の指示操作に応じたジョブが実行されている動作モード（コピーモード）のみならず、別のモード（スキャンモードおよびファクシミリモード等）においても、或るボタン名称がデフォルト名称「読込みサイズ」から検索用キーワード（たとえば「原稿サイズ」（後述））へと一律に変更されると、ユーザ（特にスキャンモードおよびファクシミリモードにおける「読込みサイズ設定」機能を利用したいユーザ）の混乱が生じ得る。たとえば、スキャンモードにて「読込みサイズ設定」機能を利用して原稿６００（図１５上側部）の一部分（上半分のみ）をＭＦＰ１０に読み込ませたいと考えるユーザは、当該機能のボタン名称が検索用キーワード「原稿サイズ」に変更されたことによって、所望の機能を示すボタンを見つけ出しづらくなることがある。すなわち、変更後のボタン名称が、或る動作モードにおける特定の機能を表す名称として適したものであるとしても、別の動作モードにおける当該特定の機能を表す名称としては適さないこともある。
【００８９】
そのため、一連の指示操作に応じたジョブが実行されている動作モード（コピーモード）以外の動作モード（たとえばスキャンモードおよびファクシミリモード）におけるボタン（デフォルト名称「読込みサイズ」が付されたボタン）の名称は、デフォルト名称のまま維持されることが好ましい。
【００９０】
そこで、第２実施形態では、複数の動作モードにてそれぞれ表示される操作画面のうち、一連の指示操作に応じたジョブの実行時の動作モード（コピーモード）にて表示される操作画面２００のみにおいて、ボタン名称が変更される態様について、例示する。
【００９１】
第２実施形態においても、第１実施形態と同様に図３の各処理がそれぞれ行われる。ただし、第２実施形態では、ステップＳ１９の処理内容が第１実施形態のステップＳ１９の処理内容とは異なる。
【００９２】
第２実施形態では、ユーザが、コピーモード下で所望の機能（「読込みサイズ設定」機能）を利用したコピージョブを実行したいと考えるものの、デフォルト名称が判らない状況を想定する。
【００９３】
詳細には、メニュー画面１００（図４）にてコピーボタン１０１をユーザが押下すると動作モードがコピーモードに遷移し、その後表示されたコピージョブの設定一覧画面１５０（図５）において応用設定ボタン１６０をさらにユーザが押下すると、操作画面２００（図６）が表示される。そして、操作画面２００内の検索ボタン３５０の押下操作に応答して表示された検索画面２１０において、ユーザが、所望の機能（「読込みサイズ設定」機能）の処理内容から「原稿サイズ」を思い浮かべ、キーワード「原稿サイズ」を入力して検索処理を行う（ステップＳ１１〜Ｓ１４）。その後、「読込みサイズ設定」機能が選択され、「読込みサイズ設定」機能を利用したコピージョブが実行される（ステップＳ１５〜Ｓ１８）。
【００９４】
ステップＳ１９において、ＭＦＰ１０は、複数の動作モードのうち、ジョブ（ここではコピージョブ）の実行時の動作モード（コピーモード）における特定の機能（「読込みサイズ設定」機能）のボタン名称の変更有無を示すフラグＦ２を、オフからオンに変更する。
【００９５】
その後、コピーモードにて操作画面２００が表示される場合には、当該フラグＦ２に基づき図１３の操作画面２００が表示される。図１３に示すように、「読込みサイズ設定」機能のボタン名称（「読込みサイズ設定」機能ボタン３０１の近傍に配置されるボタンの名称）として、デフォルト名称「読込みサイズ」（図６参照）に代えてキーワード「原稿サイズ」が表示される。換言すれば、表示制御部１２は、ジョブの実行時の動作モード（コピーモード）にて表示される操作画面２００（のみ）において、特定の機能（「読込みサイズ設定」機能）のボタン名称をデフォルト名称からキーワードに変更して表示する。
【００９６】
これに対して、スキャンモードにて操作画面５００（図１４）が表示される場合には、「読込みサイズ設定」機能のボタン名称として、デフォルト名称「読込みサイズ」がそのまま表示される。換言すれば、表示制御部１２は、ジョブの実行時の動作モード（コピーモード）とは異なる動作モード（スキャンモード）にて表示される操作画面５００においては、特定の機能を表すデフォルト名称と同一の名称を有するボタンの名称をデフォルト名称からキーワードに変更せず、デフォルト名称を引き続き表示する。
【００９７】
このように、複数の動作モードのそれぞれにおいて同一のデフォルト名称が付された各ボタンが存在する場合には、ユーザによる一連の指示操作に応じてジョブ（「読込みサイズ設定」機能を利用したコピージョブ）が実行される旨の条件が成立すると、ジョブの実行時の動作モード（コピーモード）にて表示される操作画面２００（のみ）において、キーワードが特定の機能のボタン名称として表示される。
【００９８】
この第２実施形態に係る動作によれば、ジョブの実行時の動作モード（ここではコピーモード）にて表示される操作画面２００（のみ）において特定の機能のボタン名称としてキーワードが用いられて表示される。そのため、他の動作モード（たとえばスキャンモードおよびファクシミリモード）において当該特定の機能を示すボタンのデフォルト名称と同じ名称を有するボタンの名称が当該キーワードに変更されることに起因するユーザの混乱を回避することが可能である。
【００９９】
＜３．第３実施形態＞
第３実施形態は、第１実施形態の変形例である。以下では、第１実施形態との相違点を中心に説明する。
【０１００】
第１実施形態では、或るユーザによる１回の一連の指示操作（検索指示操作、選択操作および実行指示操作）に応じてジョブが実行されると、特定の機能のボタン名称としてキーワードが表示される態様を例示した。
【０１０１】
この第３実施形態では、特定ユーザによる所定値Ｎ（ただしＮは自然数）よりも多くの回数の一連の指示操作のそれぞれに応じてジョブが実行されることを条件として、当該特定ユーザの操作画面２００において、特定の機能のボタン名称としてキーワードが表示される態様を例示する。
【０１０２】
図１６は、第３実施形態に係るＭＦＰ１０の動作を示すフローチャートである。第３実施形態では、図１６に示すように、第１実施形態のステップＳ１１〜Ｓ１９（図３参照）に加えて、ステップＳ２１，Ｓ２２の処理が行われる。また、第３実施形態では、ステップＳ１９（Ｓ１９Ｂとも称する）の処理内容が第１実施形態のステップＳ１９（Ｓ１９Ａとも称する）の処理内容とは異なる。
【０１０３】
具体的には、ステップＳ２１において、ＭＦＰ１０は、特定ユーザ（たとえばユーザＵ１）のＭＦＰ１０へのログインを受け付ける。具体的には、ＭＦＰ１０は、ログイン画面においてユーザＵ１により入力されたユーザＩＤおよびパスワードによって、ユーザＵ１のログイン認証を行う。そして、処理はステップＳ１２〜Ｓ１８を経て、ステップＳ２２へと進む。
【０１０４】
ステップＳ２２においては、特定ユーザ（ログイン中のログインユーザ（ここではユーザＵ１））による所定値Ｎ（たとえばＮ＝５）よりも多くの回数の一連の指示操作（より詳細には同一のキーワード（たとえば「製本」）による一連の指示操作）が受け付けられたか否か、が判定される。
【０１０５】
ユーザＵ１による一連の指示操作の受付回数が所定値Ｎよりも少ない旨が判定されると、ステップＳ１９Ｂの処理は行われず、ユーザＵ１による当該一連の指示操作の受付回数を示すカウンタ値がインクリメントされる。
【０１０６】
一方、ユーザＵ１による一連の指示操作の受付回数が所定値Ｎよりも多い旨が判定されると、ステップＳ１９Ｂにおいて、ユーザＵ１における特定の機能（「小冊子」機能）のボタン名称の変更有無を示すフラグＦ３がオフからオンに変更されるとともに、当該キーワード「製本」が当該フラグＦ３に対応付けられて格納部５に格納される。
【０１０７】
その後、特定ユーザ（ユーザＵ１）によるＭＦＰ１０へのログインが再び受け付けられて操作画面２００が表示される際には、以下のような動作が行われる。具体的には、ユーザＵ１のログインに応答して、ＭＦＰ１０は、特定の機能（「小冊子」機能）のボタン名称を変更すべき旨をフラグＦ３に基づき確認するとともに、当該フラグＦ３に対応付けられたキーワード「製本」を格納部５から抽出する。そして、メニュー画面１００（図４）から設定一覧画面１５０（図５）を経て、操作画面２００が表示される際には、表示制御部１２は、特定の機能（「小冊子」機能）のボタン名称として、（デフォルト名称（「小冊子」）ではなく）キーワード（「製本」）を表示する（図１１参照）。換言すれば、ユーザＵ１による所定値Ｎよりも多くの回数の一連の指示操作のそれぞれに応じてジョブが実行されることを条件として、当該ユーザＵ１向けの操作画面２００において、特定の機能のボタン名称がデフォルト名称（「小冊子」）からキーワード（「製本」）に変更されて表示される。
【０１０８】
これに対して、特定ユーザ（ユーザＵ１）とは異なるユーザ（たとえばユーザＵ２）によるログインが受け付けられて操作画面２００が表示される際には、以下のような動作が行われる。具体的には、ユーザＵ２のログイン中において、メニュー画面１００（図４）から設定一覧画面１５０（図５）を経て、操作画面２００が表示される際には、特定の機能（「小冊子」機能）のボタン名称として、デフォルト名称（「小冊子」）が、（キーワード（「製本」）に変更されることなく）そのまま表示される（図６参照）。換言すれば、複数のユーザのうち、所定値Ｎよりも多くの一連の指示操作を行ったユーザ（ユーザＵ１）とは異なるユーザ（ユーザＵ２）向けの操作画面２００においては、特定の機能のボタン名称はデフォルト名称からキーワードに変更されない。
【０１０９】
このように、第３実施形態に係る動作においては、特定ユーザ（ユーザＵ１）による所定値Ｎよりも多くの回数の一連の指示操作のそれぞれに応じてジョブが実行されることを条件として、ユーザＵ１（のみ）の操作画面２００において特定の機能のボタン名称としてキーワードが表示される。そのため、ユーザＵ１は、当該機能（「小冊子」機能）の次回以降の利用時において、自身が入力したキーワード（「製本」）を特定の機能（「小冊子」機能）のボタン名称として視認することができるので、当該特定の機能を容易に見つけ出すことができる。したがって、ユーザ（特にユーザＵ１）にとって使い易いＭＦＰ１０を提供することが可能である。
【０１１０】
なお、ここでは、特定ユーザによる「所定値Ｎ（ただしＮは自然数）よりも多くの回数の」一連の指示操作のそれぞれに応じてジョブが実行されることを条件として、当該特定ユーザの操作画面２００において、特定の機能のボタン名称としてキーワードが表示される態様を例示したが、これに限定されない。たとえば、所定値Ｎに関する条件を設けず、特定ユーザによる一連の指示操作に応じてジョブが実行されることを条件として、当該特定ユーザの操作画面２００において、特定の機能のボタン名称としてキーワードが表示されるようにしてもよい。
【０１１１】
＜４．第４実施形態＞
第４実施形態は、第３実施形態の変形例である。以下では、第３実施形態との相違点を中心に説明する。
【０１１２】
第３実施形態では、特定ユーザ（ユーザＵ１）による所定値Ｎよりも多くの回数の一連の指示操作のそれぞれに応じてジョブが実行されることを条件として、「特定ユーザ」の操作画面２００において、特定の機能のボタン名称としてキーワードが表示される態様を例示した。
【０１１３】
この第４実施形態では、特定ユーザ（ユーザＵ１）による所定値Ｎよりも多くの回数の一連の指示操作のそれぞれに応じてジョブが実行されることを条件として、「全てのユーザ」の各操作画面２００において、特定の機能のボタン名称としてキーワードが表示される態様を例示する。
【０１１４】
第４実施形態においても、第３実施形態と同様に図１６の各処理がそれぞれ行われる。ただし、第４実施形態では、ステップＳ１９（Ｓ１９Ｂ）の処理内容が第３実施形態のステップＳ１９（Ｓ１９Ｂ）の処理内容とは異なる。
【０１１５】
具体的には、第４実施形態のステップＳ１９Ｂにおいては、「全てのユーザ」における特定の機能（「小冊子」機能）のボタン名称の変更有無を示すフラグＦ４が、オフからオンに変更される。
【０１１６】
その後、特定ユーザ（ユーザＵ１）によるログインが再び受け付けられ、ユーザＵ１向けの操作画面２００が表示される際には、当該フラグＦ４に基づき、特定の機能（「小冊子」機能）のボタン名称として、デフォルト名称（「小冊子」）に代えてキーワード（「製本」）が表示される（図１１参照）。
【０１１７】
また、特定ユーザとは異なるユーザ（たとえばユーザＵ２））によるログインが受け付けられ、ユーザＵ２向けの操作画面２００が表示される際においても、特定の機能（「小冊子」機能）のボタン名称として、デフォルト名称（「小冊子」）に代えてキーワード（「製本」）が表示される（図１１参照）。換言すれば、特定のユーザ（ユーザＵ１）による所定値Ｎよりも多くの回数の一連の指示操作のそれぞれに応じてジョブが実行されることを条件として、複数のユーザの各操作画面において、特定の機能のボタン名称がデフォルト名称からキーワードに変更されて表示される。
【０１１８】
このように、第４実施形態に係る動作においては、特定ユーザ（ユーザＵ１）による所定値Ｎよりも多くの回数の一連の指示操作のそれぞれに応じてジョブが実行されると、別のユーザ（たとえばユーザＵ２）の操作画面２００においても、特定の機能（「小冊子」機能）のボタン名称としてキーワード（「製本」）が表示される。換言すれば、或るユーザが特定の機能の検索に際して同一のキーワード（「製本」）を思い浮かべて当該キーワードを多数回に亘って入力した場合には、ＭＦＰ１０は、別のユーザも当該特定の機能の処理内容から当該キーワード（「製本」）を思い浮かべ得ると判断する。そして、ＭＦＰ１０は、全てのユーザの各操作画面２００において、特定の機能のボタン名称として当該キーワードを表示する。そのため、ユーザＵ２は、当該機能（「小冊子」機能）の利用時において、自身の操作画面２００において、キーワード（「小冊子」機能の処理内容から思い浮かべ得るキーワード（「製本」））を特定の機能（「小冊子」機能）のボタン名称として視認することができる。したがって、当該特定の機能が容易に見つけ出される可能性が高く、ユーザにとって（ユーザＵ１のみならずユーザＵ２にとっても）使い易いＭＦＰ１０を提供することが可能である。
【０１１９】
なお、ここでは、特定ユーザによる「所定値Ｎ（ただしＮは自然数）よりも多くの回数の」一連の指示操作のそれぞれに応じてジョブが実行されることを条件として、複数のユーザの各操作画面２００において、特定の機能のボタン名称としてキーワードが表示される態様を例示したが、これに限定されない。たとえば、所定値Ｎに関する条件を設けず、特定ユーザによる（１回の）一連の指示操作に応じてジョブが実行されることを条件として、複数のユーザの各操作画面２００において、特定の機能のボタン名称としてキーワードが表示されるようにしてもよい。
【０１２０】
また、複数のユーザのうち特定ユーザ（ここではユーザＵ１）とは異なる任意のユーザ（たとえばユーザＵ２）がＭＦＰ１０にログインする際に、特定の機能（「小冊子」機能）のボタン名称が変更される旨の通知画面２７０（図１７）をタッチパネル２５に表示するようにしてもよい。
【０１２１】
図１７は、特定の機能（「小冊子」機能）のボタン名称がデフォルト名称（「小冊子」）からキーワード（「製本」）に変更される旨を予告表示する通知画面２７０を示す図である。特定ユーザ（ユーザＵ１）による所定値Ｎよりも多くの回数の一連の指示操作のそれぞれに応じてジョブが実行された後（詳細には（Ｎ＋１）回目のジョブの実行後）において、別のユーザＵ２がＭＦＰ１０にログインする際に、表示制御部１２は、通知画面２７０をログイン画面２６０に重畳して表示する（図１７参照）。その後、ユーザ（ログインユーザ）Ｕ２向けの操作画面２００が表示される際には、特定の機能（「小冊子」機能）のボタン名称がデフォルト名称（「小冊子」）からキーワード（「製本」）に変更されて表示される。
【０１２２】
通知画面２７０を用いた予告表示によれば、特定ユーザとは異なるユーザ（ユーザＵ２）は、「小冊子」機能のボタン名称がデフォルト名称「小冊子」からキーワード「製本」に変更されて表示される旨を、操作画面２００の表示前に予め知得することができる。換言すれば、一連の指示操作を行ったユーザ（ユーザＵ１）とは異なるユーザ（ユーザＵ２）の操作画面２００においても当該特定の機能のボタン名称が変更されることに起因する当該ユーザＵ２の混乱が防止され得る。
【０１２３】
このような変形例に係る思想（予告表示に関する思想）は、所定値Ｎに関する条件を設けない態様においても適用され得る。具体的には、特定ユーザ（ユーザＵ１）による（１回の）一連の指示操作に応じてジョブが実行された後において、特定ユーザとは異なるユーザ（ユーザＵ２）がＭＦＰ１０にログインする際に、表示制御部１２は、通知画面２７０（図１７）を表示するようにしてもよい。
【０１２４】
＜５．第５実施形態＞
第５実施形態は、第１実施形態の変形例である。以下では、第１実施形態との相違点を中心に説明する。
【０１２５】
第１実施形態では、或るユーザ（「１人」のユーザ）による一連の指示操作（検索指示操作、選択操作および実行指示操作）に応じてジョブが実行されると、特定の機能のボタン名称としてキーワードが表示される態様を例示した。
【０１２６】
この第５実施形態では、「所定値Ｍ（ただしＭは自然数）よりも多数」のユーザのそれぞれによる一連の指示操作に応じてジョブが実行されることを条件として、当該一連の指示操作を行ったユーザのみの操作画面２００において、特定の機能のボタン名称としてキーワードが表示される態様を例示する。
【０１２７】
図１８は、第５実施形態に係るＭＦＰ１０の動作を示すフローチャートである。第５実施形態では、図１８に示すように、第１実施形態のステップＳ１１〜Ｓ１９に加えて、ステップＳ２１，Ｓ３１の処理が行われる。また、第３実施形態では、ステップＳ１９（Ｓ１９Ｃとも称する）の処理内容が第１実施形態のステップＳ１９（Ｓ１９Ａ）の処理内容とは異なる。
【０１２８】
具体的には、ステップＳ２１において、ＭＦＰ１０は、ユーザのログインを受け付ける。そして、処理はステップＳ１１〜Ｓ１８を経て（ログインユーザによる一連の指示操作が施されて）、ステップＳ３１へと進む。
【０１２９】
ステップＳ３１においては、所定値Ｍ（たとえばＭ＝３）よりも多数のユーザによる一連の指示操作（より詳細には同一のキーワード（たとえば「製本」）による一連の指示操作）が受け付けられたか否か、が判定される。たとえば、ログインユーザＵ２のログイン前において、当該一連の指示操作を行ったユーザが１人（たとえばユーザＵ１）である場合には、所定値Ｍよりも多数のユーザによる一連の指示操作が受け付けられていない旨が判定され、ステップＳ１９Ｂの処理は行われない（一連の指示操作の受付人数を示すカウンタ値がインクリメントされる）。一方、たとえば、ログインユーザＵ４のログイン前において、当該一連の指示操作を行ったユーザが３人（たとえばユーザＵ１〜Ｕ３）である場合には、ユーザＵ４による一連の指示操作が受け付けられたことによって、所定値Ｍよりも多くのユーザ（ユーザＵ１〜Ｕ４）による一連の指示操作が受け付けられた旨がステップＳ３１にて判定される。そして、処理はステップＳ１９Ｃへと進む。
【０１３０】
ステップＳ１９Ｃにおいて、ＭＦＰ１０は、複数のユーザ（たとえばユーザＵ１〜Ｕ５）のうち、当該一連の指示操作を行ったユーザ（ここではユーザＵ１〜Ｕ４）における特定の機能（「小冊子」機能）のボタン名称の変更有無を示すフラグＦ５を、オフからオンに変更する。
【０１３１】
その後、一連の指示操作を行ったユーザ（たとえばユーザＵ１〜Ｕ４）によるログインが受け付けられて操作画面２００が表示される際には、以下のような動作が行われる。具体的には、ユーザＵ１〜Ｕ４のログインに応答して、ＭＦＰ１０は、ユーザＵ１〜Ｕ４における特定の機能（「小冊子」機能）のボタン名称を変更すべき旨を当該フラグＦ５に基づき確認するとともに、当該フラグＦ５に対応付けられたキーワード「製本」を格納部５から抽出する。そして、メニュー画面１００（図４）から設定一覧画面１５０（図５）を経て、操作画面２００が表示される際には、表示制御部１２は、特定の機能（「小冊子」機能）のボタン名称として、（デフォルト名称（「小冊子」）ではなく）キーワード（「製本」）を表示する（図１１参照）。換言すれば、所定値Ｍよりも多数のユーザのそれぞれによる一連の指示操作に応じてジョブが実行されることを条件として、複数のユーザの各操作画面のうち、当該一連の指示操作を行ったユーザ（ユーザＵ１〜Ｕ４）向けの操作画面２００において、特定の機能のボタン名称がデフォルト名称からキーワードに変更されて表示される。
【０１３２】
これに対して、一連の指示操作を行っていないユーザ（たとえばユーザＵ５）によるログインが受け付けられて操作画面２００が表示される際には、以下のような動作が行われる。具体的には、ユーザＵ５のログイン中において、メニュー画面１００（図４）から設定一覧画面１５０（図５）を経て、操作画面２００が表示される際には、特定の機能（「小冊子」機能）のボタン名称として、デフォルト名称（「小冊子」）が、（キーワード（「製本」）に変更されることなく）そのまま表示される（図６参照）。換言すれば、複数のユーザのうち、一連の指示操作を行ったユーザ（ユーザＵ１〜Ｕ４）とは異なるユーザ（ユーザＵ５）向けの操作画面２００においては、特定の機能のボタン名称はデフォルト名称からキーワードに変更されない。
【０１３３】
このように、第５実施形態に係る動作においては、所定値Ｍよりも多数のユーザのそれぞれによる一連の指示操作に応じてジョブが実行されると、複数のユーザ（ユーザＵ１〜Ｕ５）の各操作画面のうち、当該一連の指示操作を行ったユーザ（ユーザＵ１〜Ｕ４）のみの操作画面２００において、特定の機能のボタン名称としてキーワードが表示される。そのため、当該ユーザＵ１〜Ｕ４は、当該機能（「小冊子」機能）の次回以降の利用時において、自身が入力したキーワード（「製本」）を特定の機能（「小冊子」機能）のボタン名称として視認することができるので、当該特定の機能を容易に見つけ出すことができる。したがって、ユーザ（特にユーザＵ１〜Ｕ４）にとって使い易いＭＦＰ１０を提供することが可能である。
【０１３４】
＜６．第６実施形態＞
第６実施形態は、第５実施形態の変形例である。以下では、第５実施形態との相違点を中心に説明する。
【０１３５】
第５実施形態では、所定値Ｍ（たとえばＭ＝３）よりも多数のユーザのそれぞれによる一連の指示操作に応じてジョブが実行されることを条件として、「当該一連の指示操作を行ったユーザ」の操作画面２００において、特定の機能のボタン名称としてキーワードが表示される態様を例示した。
【０１３６】
この第６実施形態では、所定値Ｍよりも多数のユーザのそれぞれによる一連の指示操作に応じてジョブが実行されることを条件として、「全てのユーザ」の各操作画面２００において、特定の機能のボタン名称としてキーワードが表示される態様を例示する。
【０１３７】
第６実施形態においても、第５実施形態と同様に図１８の各処理がそれぞれ行われる。ただし、第６実施形態では、ステップＳ１９Ｃの処理内容が第５実施形態のステップＳ１９Ｃの処理内容とは異なる。
【０１３８】
具体的には、第６実施形態のステップＳ１９Ｃにおいては、「全てのユーザ」における特定の機能（「小冊子」機能）のボタン名称の変更有無を示すフラグＦ６が、オフからオンに変更される。
【０１３９】
その後、一連の指示操作を行ったユーザ（ユーザＵ１〜Ｕ４）によるログインが受け付けられ、操作画面２００が表示される際には、当該フラグＦ６に基づき、特定の機能（「小冊子」機能）のボタン名称として、デフォルト名称（「小冊子」）に代えてキーワード（「製本」）が表示される（図１１参照）。
【０１４０】
また、一連の指示操作を行っていないユーザ（ユーザＵ５）によるログインが受け付けられ、ユーザＵ５向けの操作画面２００が表示される際においても、特定の機能（「小冊子」機能）のボタン名称として、デフォルト名称（「小冊子」）に代えてキーワード（「製本」）が表示される（図１１参照）。換言すれば、所定値Ｍよりも多数のユーザのそれぞれによる一連の指示操作に応じてジョブが実行されることを条件として、複数のユーザの各操作画面において、特定の機能のボタン名称がデフォルト名称からキーワードに変更されて表示される。
【０１４１】
ここにおいて、比較的多数のユーザによって一連の指示操作（同一のキーワードによる一連の指示操作）が行われた機能（ここでは「小冊子」機能）は、デフォルト名称（「小冊子」）が比較的多数のユーザに知られていない機能である、とも考えられる。
【０１４２】
この第６実施形態に係る動作においては、所定値Ｍよりも多数のユーザのそれぞれによる一連の指示操作に応じてジョブが実行されることを条件として、当該一連の指示操作を行ったユーザ（ユーザＵ１〜Ｕ４）とは異なるユーザ（ユーザＵ５）の操作画面２００においても、特定の機能（「小冊子」機能）のボタン名称としてキーワード（「製本」）が表示される。換言すれば、比較的多数のユーザが、特定の機能の検索に際して同一のキーワード（「製本」）を思い浮かべて当該キーワードを入力した場合には、ＭＦＰ１０は、一連の指示操作を行っていないユーザも当該特定の機能の処理内容から当該キーワード（「製本」）を思い浮かべ得ると判断する。そして、ＭＦＰ１０は、全てのユーザの各操作画面２００において、特定の機能のボタン名称として当該キーワードを表示する。そのため、当該一連の指示操作を行っていないユーザ（ユーザＵ５）は、当該機能（「小冊子」機能）の利用時において、自身の操作画面２００において、当該キーワード「製本」を特定の機能（「小冊子」機能）のボタン名称として視認することができる。したがって、当該特定の機能が比較的容易に見つけ出される可能性が高く、ユーザにとって（ユーザＵ１〜Ｕ４のみならずユーザＵ５にとっても）使い易いＭＦＰ１０を提供することが可能である。
【０１４３】
なお、複数のユーザのうち一連の指示操作を行ったユーザ（ユーザＵ１〜Ｕ４）とは異なる任意のユーザ（ユーザＵ５）がＭＦＰ１０にログインする際に、特定の機能（「小冊子」機能）のボタン名称がデフォルト名称（「小冊子」）からキーワード（「製本」）に変更される旨の通知画面２７０（図１７）をタッチパネル２５に表示するようにしてもよい。具体的には、一連の指示操作に応じてジョブが実行された後（詳細には（Ｍ＋１）人目のユーザによる一連の指示操作に応じたジョブの実行後）において、ユーザＵ５がログインする際に、表示制御部１２は、通知画面２７０をログイン画面２６０に重畳して表示する（図１７参照）。その後、ユーザ（ログインユーザ）Ｕ５向けの操作画面２００が表示される際には、特定の機能（「小冊子」機能）のボタン名称がデフォルト名称（「小冊子」）からキーワード（「製本」）に変更されて表示される。通知画面２７０を用いた予告表示によれば、一連の指示操作を行ったユーザとは異なるユーザ（ユーザＵ５）は、特定の機能（「小冊子」機能）のボタン名称がデフォルト名称（「小冊子」）からキーワード（「製本」）に変更されて表示される旨を、操作画面２００の表示前に予め知得することができる。
【０１４４】
あるいは、全てのユーザＵ１〜Ｕ５がＭＦＰ１０にログインする際に、上記の通知画面２７０（図１７）がタッチパネル２５に表示されるようにしてもよい。
【０１４５】
＜７．第７実施形態＞
第７実施形態は、第１実施形態の変形例である。以下では、第１実施形態との相違点を中心に説明する。
【０１４６】
第１実施形態では、一連の指示操作（検索指示操作、選択操作および実行指示操作）に応じてジョブが実行されると、特定の機能のボタン名称がデフォルト名称からキーワードに常に変更される態様を例示した。
【０１４７】
この第７実施形態では、一連の指示操作が受け付けられたときであっても、特定の機能が一連の指示操作を伴わずに利用された回数が所定の閾値よりも大きい場合には、特定の機能のボタン名称はデフォルト名称からキーワードに変更されない態様を例示する。
【０１４８】
図１９は、第７実施形態に係るＭＦＰ１０の動作を示すフローチャートである。第７実施形態では、図１９に示すように、第１実施形態のステップＳ１１〜Ｓ１９に加えて、ステップＳ４１〜Ｓ４４の処理が行われる。
【０１４９】
ステップＳ４１〜Ｓ４３においては、特定の機能が一連の指示操作を伴わずにＭＦＰ１０にて利用された回数（換言すれば、特定の機能を利用するジョブが一連の指示操作を伴わずに実行された回数）がカウントされる。
【０１５０】
具体的には、特定の機能（たとえば「とじしろ」機能）を利用したジョブを実行したいと考えるユーザによって、図６の操作画面内の「とじしろ」機能ボタン３１３が（直接的に）押下（選択）され（ステップＳ４１）、当該「とじしろ」機能の詳細設定が行われる。そして、当該ユーザによる実行指示操作によって当該「とじしろ」機能を利用したジョブが（検索指示操作等を含む上述の一連の指示操作を伴わずに）実行される（ステップＳ４２）と、当該特定の機能（「とじしろ」機能）の利用回数を示すカウンタ値がインクリメントされる（ステップＳ４３）。
【０１５１】
ステップＳ４４においては、当該利用回数（実行回数）が所定の閾値（たとえば５回）よりも大きいか否か、が判定される。
【０１５２】
当該利用回数が所定の閾値（５回）よりも小さい旨が判定される場合には、特定の機能（「とじしろ」機能）のボタン名称変更の有無を示すフラグＦ７が、オフからオンに変更される（ステップＳ１９）。そして、操作画面２００が再び表示される際には、表示制御部１２は、当該フラグＦ７に基づき、特定の機能のボタン名称をデフォルト名称からキーワードに変更して表示する（図１１参照）。換言すれば、当該利用回数が所定の閾値よりも小さい旨が判定される場合には、操作画面２００において、特定の機能のボタン名称がデフォルト名称からキーワードに変更される。
【０１５３】
一方、当該利用回数が所定の閾値（５回）よりも大きい旨が判定される場合には、ＭＦＰ１０は、ステップＳ１９の処理を行われない。そして、操作画面２００が再び表示される際には、特定の機能のボタン名称としてデフォルト名称（「とじしろ」）がそのまま表示される。換言すれば、当該利用回数が所定の閾値よりも大きい旨が判定される場合には、操作画面２００において、特定の機能のボタン名称がデフォルト名称からキーワードに変更されない。
【０１５４】
この第７実施形態によれば、機能検索処理を伴わずに比較的多く利用されている機能のボタン名称は、或るユーザによる一連の指示操作が受け付けられた場合であっても、デフォルト名称からキーワードに変更されない。したがって、当該機能のボタン名称の変更に起因するユーザの混乱を防止することが可能である。
【０１５５】
たとえば、一連の指示操作を行ったユーザとは異なる複数のユーザにより当該機能が、機能検索を伴わずに比較的多く利用されている場合には、当該機能を表すデフォルト名称が比較的多くのユーザに知られていると考えられる。複数のユーザが或る機能を機能検索を伴わずに比較的多く利用しているにもかかわらず、当該機能のボタン名称が、或るユーザによる一連の指示操作に応じて変更されると、当該複数のユーザの混乱が生じ得る。これに対して、第７実施形態に係る動作によれば、比較的多数のユーザにデフォルト名称が知られている機能のボタン名称は、或るユーザ（たとえばユーザＵ１）による一連の指示操作が受け付けられたとしても、デフォルト名称からキーワードに変更されない。したがって、当該機能のボタン名称が変更される場合に生じ得るユーザ（特に、ユーザＵ１とは異なるユーザ）の混乱を防止することが可能である。
【０１５６】
また、一連の指示操作を行ったユーザ（ユーザＵ１）自身が、当該一連の指示操作の前に当該機能を、機能検索を伴わずに比較的多く利用している場合には、当該ユーザＵ１が今回の当該機能の利用に際してのみ、当該機能を表すデフォルト名称を失念していると考えられる。今回の当該機能の利用に際してのみユーザＵ１が当該デフォルト名称を失念しているにもかかわらず、機能検索を伴わずに比較的多く利用している機能のボタン名称が変更されると、当該ユーザＵ１の混乱が生じ得る。これに対して、第７実施形態に係る動作によれば、ユーザＵ１自身が比較的多く利用している機能のボタン名称は、当該ユーザＵ１による一連の指示操作が受け付けられたとしても、デフォルト名称からキーワードに変更されない。したがって、当該機能のボタン名称の変更に起因するユーザ（特にユーザＵ１）の混乱を防止することが可能である。
【０１５７】
＜８．変形例等＞
以上、この発明の実施の形態について説明したが、この発明は上記内容のものに限定されるものではない。
【０１５８】
たとえば、上記各実施形態等では、操作画面２００の再度の表示に際して、フラグ（Ｆ１，Ｆ２等）が確認され、当該フラグに基づいて特定の機能のボタン名称がデフォルト名称からキーワードに変更される態様を例示したが、これに限定されない。具体的には、上記各実施形態における所定の条件（たとえば、特定ユーザによる所定値Ｎよりも多くの回数の一連の指示操作のそれぞれに応じてジョブが実行されること（第３実施形態参照））が充足されることに応じて、特定の機能のボタン名称がデフォルト名称からキーワードに直ちに変更されるようにしてもよい。
【０１５９】
また、上記第３〜第７実施形態を上記第１実施形態の変形例として説明したが、これに限定されず、上記第３〜第７実施形態等の思想を上記第２実施形態に適用してもよい。
【０１６０】
たとえば次のようにして第３実施形態の思想を第２実施形態に適用するようにしてもよい。具体的には、「コピーモード」下において特定ユーザによる所定値Ｎよりも多くの回数の一連の指示操作のそれぞれに応じてコピージョブが実行されると、当該特定ユーザの「コピーモード」にて表示される操作画面２００のみにおいて、特定の機能のボタン名称としてキーワードが表示されるようにしてもよい。換言すれば、特定ユーザの複数の動作モードにてそれぞれ表示される操作画面のうち、当該特定ユーザの他の動作モード（たとえばスキャンモードおよびファクシミリモード）の操作画面においては、特定の機能のボタン名称として、デフォルト名称が（キーワードに変更されることなく）そのまま表示される。また、特定ユーザとは異なるユーザの操作画面（コピーモードの操作画面も含む）においても、特定の機能のボタン名称として、デフォルト名称が（キーワードに変更されることなく）そのまま表示される。
【０１６１】
他の実施形態についても同様であり、第４〜第７実施形態等のそれぞれに係る思想が第２実施形態に係る思想と組み合わせて実現されるようにしてもよい。
【０１６２】
また、上記各実施形態等においては、ステップＳ１９（図３等）の後に表示される操作画面２００において、デフォルト名称に代えてキーワード（機能検索時にユーザにより入力されたキーワード）が、当該特定の機能のボタン名称として表示される態様を例示したが、これに限定されない。
【０１６３】
たとえば、ステップＳ１９の後において操作画面２００が表示される際に、デフォルト名称とキーワードとが、当該特定の機能のボタン名称として共に表示されるようにしてもよい。具体的には、表示制御部１２は、特定の機能のボタン名称の表示領域内にデフォルト名称とキーワードとを共に表示することが可能である場合には、操作画面２００において、当該特定の機能のボタン名称として、デフォルト名称に加えてキーワードをも表示する。より詳細には、図２０に示すように、表示制御部１２は、操作画面２００において、「小冊子」機能のボタン名称（「小冊子」機能ボタン３１２の近傍に配置されるボタンの名称）の表示領域内にデフォルト名称「小冊子」とキーワード「製本」との両者を並べて配置した状態で（同時並列的に）表示する。
【０１６４】
あるいは、ステップＳ１９の後において操作画面２００が表示される際に、デフォルト名称とキーワードとが交互に繰り返し表示されるようにしてもよい。具体的には、表示制御部１２は、デフォルト名称「小冊子」が「小冊子」機能のボタン名称として表示されている操作画面２００（図６）と、キーワード「製本」が「小冊子」機能のボタン名称として表示されている操作画面２００（図１１）とを交互に繰り返し表示する。図６の操作画面２００と図１１の操作画面２００とは、同一の表示時間（たとえば図６の操作画面２００および図１１の操作画面２００がともに２秒）で交互に繰り返し表示される。なお、交互に表示される２種類の操作画面２００の各表示時間は、これに限定されず、非同一（たとえば図６の操作画面２００が１秒、図１１の操作画面２００が２秒）であってもよい。
【０１６５】
また、上記各実施形態等では、「一連の指示操作」は、検索指示操作と選択操作と実行指示操作とを含む指示操作である態様を例示したが、これに限定されない。たとえば、「一連の指示操作」は、選択操作を含まず且つ検索指示操作と実行指示操作とを含むものであってもよい。
【符号の説明】
【０１６６】
１０  ＭＦＰ（画像形成装置）
２５  タッチパネル
２００  操作画面
２１０  検索画面
２２０  設定画面
３０１〜３１５  機能ボタン
３５０  検索ボタン
４００  検索文字入力欄
４１０  検索実行ボタン
４３０  検索結果表示欄
【図１】
0006365833.tif 000002
【図２】
0006365833.tif 000003
【図３】
0006365833.tif 000004
【図４】
0006365833.tif 000005
【図５】
0006365833.tif 000006
【図６】
0006365833.tif 000007
【図７】
0006365833.tif 000008
【図８】
0006365833.tif 000009
【図９】
0006365833.tif 000010
【図１０】
0006365833.tif 000011
【図１１】
0006365833.tif 000012
【図１２】
0006365833.tif 000013
【図１３】
0006365833.tif 000014
【図１４】
0006365833.tif 000015
【図１５】
0006365833.tif 000016
【図１６】
0006365833.tif 000017
【図１７】
0006365833.tif 000018
【図１８】
0006365833.tif 000019
【図１９】
0006365833.tif 000020
【図２０】
0006365833.tif 000021